(57)【要約】【課題】受信信号（受信電界）の急激な変化にＡＧＣアンプが追従することができるＡＧＣ回路を提供する【解決手段】本発明の受信ＡＧＣ回路（１４）は、受信部（１１）と、ＡＧＣアンプ（３）と、制御回路（１２）とを具備する。受信部（１１）は、外部からタイムスロット毎に送信された送信信号を受信信号として受信する。ＡＧＣアンプ（３）は、ＡＧＣアンプ（３）のゲインにより受信信号を増幅して増幅受信信号を生成する。制御回路（１２）は、増幅受信信号から得られる信号の振幅が所定範囲内ではないとき、タイムスロットよりも短い時間でＡＧＣアンプ（３）のゲインを制御する。このように、本発明のＡＧＣ回路（１４）によれば、受信電界（受信信号）が急激に変化する場合、タイムスロットよりも短い時間でＡＧＣアンプ（３）のゲインを制御するため、ＡＧＣアンプ（３）は、受信信号の急激な変化に追従することができる。【選択図】  図１
2005006173.tif 000002
【特許請求の範囲】
【請求項１】
外部からタイムスロット毎に送信された送信信号を受信信号として受信する受信部と、
そのゲインにより前記受信信号を増幅して増幅受信信号を生成するＡＧＣ（Ａｕｔｏ  Ｇａｉｎ  Ｃｏｎｔｒｏｌ）アンプと、
前記増幅受信信号から得られる信号の振幅が所定範囲内ではないとき、タイムスロットよりも短い時間で前記ＡＧＣアンプのゲインを制御する制御回路と
を具備する受信ＡＧＣ回路。
【請求項２】
請求項１に記載された受信ＡＧＣ回路において、
前記制御回路は、
前記増幅受信信号をアナログベースバンド信号に変換する直交復調器と、
前記増幅受信信号から得られる信号として、前記アナログベースバンド信号をディジタルベースバンド信号に変換するＡ／Ｄ変換器と、前記ディジタルベースバンド信号はチップ毎に電力を表す振幅を有し、１タイムスロットは１番目からｍ番目（ｍは１以上の整数）までのｍ個のチップを有し、
前記ディジタルベースバンド信号の前記ｍ個の振幅のうちの少なくとも１つの振幅が前記所定範囲内ではないとき、前記タイムスロットよりも短い時間としてチップ単位で前記ＡＧＣアンプのゲインを制御するゲイン制御回路とを備えた
受信ＡＧＣ回路。
【請求項３】
請求項２に記載された受信ＡＧＣ回路において、
前記ゲイン制御回路は、前記ディジタルベースバンド信号のｉ番目の振幅（ｉは、１≦ｉ＜ｍを満たす整数）が前記所定範囲内ではないとき、前記タイムスロットよりも短い時間として（ｉ＋１）番目のチップで前記ＡＧＣアンプのゲインを制御する
受信ＡＧＣ回路。
【請求項４】
請求項３に記載された受信ＡＧＣ回路において、
前記所定範囲は、予め決められた第１規定振幅より大きく予め決められた第２規定振幅より小さい範囲である
受信ＡＧＣ回路。
【請求項５】
請求項４に記載された受信ＡＧＣ回路において、
前記ゲイン制御回路は、
前記ディジタルベースバンド信号の前記ｍ個の振幅のうちの第１振幅が前記第１規定振幅以下であるとき、前記ディジタルベースバンド信号の前記ｍ個の振幅が収束するべき目標振幅と前記第１規定振幅との差分に対応する第１更新電力を更新電力として算出し、前記ディジタルベースバンド信号の前記ｍ個の振幅のうちの第２振幅が前記第２規定振幅以上であるとき、前記目標振幅と前記第２規定振幅との差分に対応する第２更新電力を前記更新電力として算出する電力測定器と、
ＲＳＳＩ（Ｒｅｃｅｉｖｅｄ  Ｓｉｇｎａｌ  Ｓｔｒｅｎｇｔｈ  Ｉｎｄｉｃａｔｏｒ）値に前記更新電力に対応する電界強度値を加算して出力するＲＳＳＩ生成回路と、
前記ＲＳＳＩ生成回路から出力された前記ＲＳＳＩ値に対応する制御電圧を発生し、前記ＡＧＣアンプに出力するＡＧＣ電圧発生器とを備え、
前記ＡＧＣアンプは、前記制御電圧に応じたゲインで前記受信信号を増幅する
受信ＡＧＣ回路。
【請求項６】
請求項５に記載された受信ＡＧＣ回路において、
１タイムスロットは１番目からｎ番目（ｎは１以上ｍ以下の整数）までのｎ個の分割時間を有し、
前記電力測定器は、
前記ディジタルベースバンド信号の前記ｍ個の振幅が前記所定範囲内であるとき、前記ｍ個の振幅が表す電力の平均値として第１平均電力を算出し、
前記ディジタルベースバンド信号の前記ｍ個の振幅のうちの第３振幅が前記所定範囲内ではなく、且つ、１番目の分割時間からｊ番目の分割時間（ｊは、１≦ｊ＜ｎを満たす整数）までの間に前記第３振幅があるとき、前記ｍ個の振幅のうちの、（ｊ＋１）番目の分割時間からｎ番目の分割時間までの振幅が表す電力の平均値として第２平均電力を算出し、
前記第３振幅は前記第１振幅と前記第２振幅との少なくとも１つを含み、
前記ゲイン制御回路は、
前記第１平均電力と前記第２平均電力との一方の平均電力と前記基準電力とを比較して、前記一方の平均電力と前記基準電力との差分を表す差分電力を算出する電力比較器を更に備え、
前記ＲＳＳＩ生成回路は、前記差分電力に対応する電界強度値を前記ＲＳＳＩ値に加算して前記ＡＧＣ電圧発生器に出力する
受信ＡＧＣ回路。
【請求項７】
請求項１〜請求項６のいずれか一項に記載された受信ＡＧＣ回路と、前記受信信号にはデータが含まれ、
前記増幅受信信号から得られる信号を入力して、前記増幅受信信号から前記データを取得する信号処理部と
を具備する携帯端末。
【請求項８】
そのゲインにより受信信号を増幅して増幅受信信号を生成するＡＧＣ（Ａｕｔｏ  Ｇａｉｎ  Ｃｏｎｔｒｏｌ）アンプを具備する装置に適用され、前記ＡＧＣアンプのゲインを制御するゲイン制御方法であって、
（ａ）  外部からタイムスロット毎に送信された送信信号を前記受信信号として受信するステップと、
（ｂ）  前記増幅受信信号から得られる信号の振幅が所定範囲内ではないとき、タイムスロットよりも短い時間で前記ＡＧＣアンプのゲインを制御するステップと
を具備するゲイン制御方法。
【請求項９】
請求項８に記載されたゲイン制御方法において、
前記（ｂ）のステップは、
（ｃ）  前記増幅受信信号をアナログベースバンド信号に変換するステップと、
（ｄ）  前記増幅受信信号から得られる信号として、前記アナログベースバンド信号をディジタルベースバンド信号に変換するステップと、前記ディジタルベースバンド信号はチップ毎に電力を表す振幅を有し、１タイムスロットは１番目からｍ番目（ｍは１以上の整数）までのｍ個のチップを有し、
（ｅ）  前記ディジタルベースバンド信号の前記ｍ個の振幅のうちの少なくとも１つの振幅が前記所定範囲内ではないとき、前記タイムスロットよりも短い時間としてチップ単位で前記ＡＧＣアンプのゲインを制御するステップとを含む
ゲイン制御方法。
【請求項１０】
請求項９に記載されたゲイン制御方法において、
前記（ｅ）のステップは、
（ｆ）  前記ディジタルベースバンド信号のｉ番目の振幅（ｉは、１≦ｉ＜ｍを満たす整数）が前記所定範囲内ではないとき、前記タイムスロットよりも短い時間として（ｉ＋１）番目のチップで前記ＡＧＣアンプのゲインを制御するステップを含む
ゲイン制御方法。
【請求項１１】
請求項１０に記載されたゲイン制御方法において、
前記所定範囲は、予め決められた第１規定振幅より大きく予め決められた第２規定振幅より小さい範囲である
ゲイン制御方法。
【請求項１２】
請求項１１に記載されたゲイン制御方法において、
前記（ｅ）のステップは、
（ｇ）  前記ディジタルベースバンド信号の前記ｍ個の振幅のうちの第１振幅が前記第１規定振幅以下であるとき、前記ディジタルベースバンド信号の前記ｍ個の振幅が収束するべき目標振幅と前記第１規定振幅との差分に対応する第１更新電力を更新電力として算出するステップと、
（ｈ）  前記ディジタルベースバンド信号の前記ｍ個の振幅のうちの第２振幅が前記第２規定振幅以上であるとき、前記目標振幅と前記第２規定振幅との差分に対応する第２更新電力を前記更新電力として算出するステップと、
（ｉ）  ＲＳＳＩ（Ｒｅｃｅｉｖｅｄ  Ｓｉｇｎａｌ  Ｓｔｒｅｎｇｔｈ  Ｉｎｄｉｃａｔｏｒ）値に前記更新電力に対応する電界強度値を加算するステップと、
（ｊ）  前記（ｉ）により加算された前記ＲＳＳＩ値に対応する制御電圧を発生して前記ＡＧＣアンプに出力するステップとを含み、
前記ＡＧＣアンプは、前記制御電圧に応じたゲインで前記受信信号を増幅する
ゲイン制御方法。
【請求項１３】
請求項１２に記載されたゲイン制御方法において、
前記（ｅ）のステップは、
（ｋ）  前記ディジタルベースバンド信号の前記ｍ個の振幅が前記所定範囲内であるとき、前記ｍ個の振幅が表す電力の平均値として第１平均電力を算出するステップと、１タイムスロットは１番目からｎ番目（ｎは１以上ｍ以下の整数）までのｎ個の分割時間を有し、
（ｌ）  前記ディジタルベースバンド信号の前記ｍ個の振幅のうちの第３振幅が前記所定範囲内ではなく、且つ、１番目の分割時間からｊ番目の分割時間（ｊは、１≦ｊ＜ｎを満たす整数）までの間に前記第３振幅があるとき、前記ｍ個の振幅のうちの、（ｊ＋１）番目の分割時間からｎ番目の分割時間までの振幅が表す電力の平均値として第２平均電力を算出するステップと、前記第３振幅は前記第１振幅と前記第２振幅との少なくとも１つを含み、
（ｍ）  前記第１平均電力と前記第２平均電力との一方の平均電力と前記基準電力とを比較して、前記一方の平均電力と前記基準電力との差分を表す差分電力を算出するステップと、
（ｎ）  前記差分電力に対応する電界強度値を前記ＲＳＳＩ値に加算するステップと、
（ｏ）  前記（ｎ）により加算された前記ＲＳＳＩ値に対応する前記制御電圧を発生して前記ＡＧＣアンプに出力するステップとを含む
ゲイン制御方法。
【発明の詳細な説明】
【０００１】
【発明の属する技術分野】
本発明は、受信ＡＧＣ回路に関し、特に、無線基地局と無線移動局とを用いたＣＤＭＡ（Ｃｏｄｅ  Ｄｉｖｉｓｉｏｎ  Ｍｕｌｔｉｐｌｅ  Ａｃｃｅｓｓ）無線システムに適用される受信ＡＧＣ回路に関する。
【０００２】
【従来の技術】
受信ＡＧＣ回路は、無線基地局と無線移動局とを用いたＣＤＭＡ方式（ＣＤＭＡ無線システム）に適用される。以下、ＣＤＭＡ方式をＷ−ＣＤＭＡ（Ｗｉｄｅｂａｎｄ
ＣＤＭＡ）方式として説明する。
【０００３】
図６は、従来の受信ＡＧＣ回路の構成を示すブロック図である。従来の受信ＡＧＣ回路は、アンテナ１０１と、フロントエンド回路１０２と、ＡＧＣ（Ａｕｔｏ  Ｇａｉｎ  Ｃｏｎｔｒｏｌ）アンプ１０３と、直交復調器１０４と、Ａ／Ｄ変換器１０５と、ベースバンド信号処理回路１０６と、電力測定器１０７と、電力比較器１０８と、ＲＳＳＩ生成回路１０９と、ＡＧＣ電圧発生器１１０とを備えている。
【０００４】
アンテナ１０１は、外部からタイムスロット（６６７ｕｓｅｃ）毎に送信された送信信号を受信信号として受信する。受信信号は、アナログベースバンド信号であるアナログ同相成分信号とアナログ直交成分信号を同相搬送波と直交搬送波で直交変調された、搬送波周波数を有する信号である。この受信信号にはデータが含まれる。
フロントエンド回路１０２は、アンテナ１０１により受信された受信信号から受信高周波信号｛受信ＲＦ（Ｒａｄｉｏ  Ｆｒｅｑｕｅｎｃｙ）信号｝のみを抽出し、その受信信号（受信ＲＦ信号）を所望のレベルに増幅し、妨害波の除去として搬送波周波数帯域以外の不要の周波数成分を除去する。フロントエンド回路１０２は、不要の周波数成分が除去された受信信号（受信ＲＦ信号）を、図示しない発振器により生成された発振信号を混合し、搬送波周波数帯域が選択された受信中間周波信号｛受信ＩＦ（Ｉｎｔｅｒｍｅｄｉａｔｅ  Ｆｒｅｑｕｅｎｃｙ）信号｝に変換して、その受信信号（受信ＩＦ信号）をＡＧＣアンプ１０３に出力する。
ＡＧＣアンプ１０３は、ＡＧＣアンプ１０３のゲインにより受信信号（受信ＩＦ信号）を後述の復調処理を行うために十分なレベルまで増幅して増幅受信信号を生成する。
【０００５】
直交復調器１０４は復調処理を行う。直交復調器１０４は、ＡＧＣアンプ１０３により生成された増幅受信信号をアナログベースバンド信号｛アナログ同相成分信号（アナログＩ信号）、アナログ直交成分信号（アナログＱ信号）｝に変換する。このアナログベースバンド信号（アナログＩ信号、アナログＱ信号）には上記のデータが含まれる。
Ａ／Ｄ変換器１０５（第１Ａ／Ｄ変換器１０５ａ、第２Ａ／Ｄ変換器１０５ｂ）は、増幅受信信号から得られる信号として、直交復調器１０４によって変換されたアナログベースバンド信号（アナログＩ信号、アナログＱ信号）をディジタルベースバンド信号｛ディジタル同相成分信号（以下、ディジタルＩ信号、又は、Ｉ信号と称する）、デジタル直交成分信号（以下、ディジタルＱ信号、又は、Ｑ信号と称する）｝に変換する。このディジタルベースバンド信号（Ｉ信号、Ｑ信号）には上記のデータが含まれる。Ａ／Ｄ変換器１０５（第１Ａ／Ｄ変換器１０５ａ、第２Ａ／Ｄ変換器１０５ｂ）は、変換したディジタルベースバンド信号（Ｉ信号、Ｑ信号）をベースバンド信号処理回路１０６、電力測定器１０７に出力する。
ディジタルベースバンド信号（Ｉ信号、Ｑ信号）はチップ毎に電力を表す振幅を有する。１タイムスロットは１番目からｍ番目（ｍは１以上の整数）までのｍ個のチップを有する。
ベースバンド信号処理回路１０６は、Ａ／Ｄ変換器１０５（第１Ａ／Ｄ変換器１０５ａ、第２Ａ／Ｄ変換器１０５ｂ）から出力されたディジタルベースバンド信号（Ｉ信号、Ｑ信号）に逆拡散を施し符号化する（拡散符号に変換する）。ベースバンド信号処理回路１０６は、ディジタルベースバンド信号（Ｉ信号、Ｑ信号）を符号化したとき、拡散符号ごとに割り当てられたチャネルの電力ＲＳＣＰ（Ｒｅｃｅｉｖｅｄ  Ｓｉｇｎａｌ  Ｃｏｄｅ  Ｐｏｗｅｒ）と受信信号全電力｛ディジタルベースバンド信号（Ｉ信号、Ｑ信号）のｍ個の振幅が表す全電力｝との比を算出する。この比とＲＳＳＩ生成回路１０９から出力されるＲＳＳＩ（Ｒｅｃｅｉｖｅｄ  Ｓｉｇｎａｌ  Ｓｔｒｅｎｇｔｈ  Ｉｎｄｉｃａｔｏｒ）値を用いて各ＲＳＣＰの絶対電力を算出する。
【０００６】
電力測定器１０７、電力比較器１０８、ＲＳＳＩ生成回路１０９、ＡＧＣ電圧発生器１１０は、タイムスロットと同じ時間（タイムスロット単位）でＡＧＣアンプ１０３のゲインを制御する。
電力測定器１０７は、ディジタルベースバンド信号のｍ個の振幅が表す電力の平均値として平均電力を算出し、算出結果として電力比較器１０８に出力する。
電力比較器１０８は、平均電力と基準電力とを比較して、平均電力と基準電力との差分を表す差分電力を算出し、算出結果としてＲＳＳＩ生成回路１０９に出力する。
ＲＳＳＩ生成回路１０９は、電力比較器１０８から出力された差分電力に対応する電界強度値をＲＳＳＩ値に加算し、算出結果としてベースバンド信号処理回路１０６、ＡＧＣ電圧発生器１１０に出力する。ＲＳＳＩ生成回路１０９には、予めにＲＳＳＩ値の初期値が与えられている。ＡＧＣ回路１４（携帯端末１６）の初期時として１回目のタイムスロットでは、ＲＳＳＩ生成回路１０９は、予めに与えられたＲＳＳＩ値の初期値に、差分電力に対応する電界強度値を加算する。２回目以降のタイムスロット（次のタイムスロット）では、ＲＳＳＩ生成回路１０９は、前回のタイムスロットのときに加算されたＲＳＳＩ値に、次のタイムスロットのときに電力比較器１０８により算出された差分電力に対応する電界強度値を加算する。
ＡＧＣ電圧発生器１１０は、ＲＳＳＩ生成回路１０９から出力されたＲＳＳＩ値に対応する制御電圧を発生し、ＡＧＣアンプ１０３に出力する。ＡＧＣアンプ１０３は、制御電圧に応じたゲインで受信信号を増幅する。
【０００７】
受信電界（受信信号が表す電力に対応する電界）が安定した状態にある場合、ディジタルベースバンド信号（Ｉ信号、Ｑ信号）のｍ個の振幅はＡ／Ｄ変換器１０５（第１Ａ／Ｄ変換器１０５ａ、第２Ａ／Ｄ変換器１０５ｂ）の入力ダイナミックレンジに対してある比率をもって一定値に収束する。
ところが、受信信号（受信電界）がフェージング波により急激に変化する場合がある。この場合、ＡＧＣアンプ１０３は受信電界の急激な変化に追従することができず、ディジタルベースバンド信号（Ｉ信号、Ｑ信号）の振幅に変動が発生する。Ｗ−ＣＤＭＡ方式の場合、ＡＧＣアンプ１０３のゲインが一定である１ＳＬＯＴ間に、受信信号（受信電界）が急激に減少することもある。従来の受信ＡＧＣ回路では、ディジタルベースバンド信号（Ｉ信号、Ｑ信号）のｍ個の振幅は、１番目の振幅からｍ番目の振幅までの順に、受信電界の減少に合わせて小さくなる。また、受信電界（ディジタルベースバンド信号の振幅）が大き過ぎる場合もある。
【０００８】
ディジタルベースバンド信号（Ｉ信号、Ｑ信号）のｍ個の振幅が、目標振幅（ディジタルベースバンド信号のｍ個の振幅が収束するべき振幅値）に比べて小さ過ぎると、量子化誤差、雑音の影響が増大し、目標振幅に比べて大き過ぎると、Ａ／Ｄ変換器１０５の入力ダイナミックレンジを超えて飽和する。どちらも復号誤りを増加させる原因になる。
この問題が生じる理由は、ＡＧＣアンプ１０３のゲインを一定周期（タイムスロット）間隔で更新しているため、一定ゲインの間にフェージングなどの影響により受信信号（受信電界）が急激に変動すると、ディジタルベースバンド信号（Ｉ信号、Ｑ信号）の振幅も同様に変動するからである。ＡＧＣの更新間隔を短くするという方法もあるが、その場合、高速フェージングに追従するためには更新間隔が非常に短くなり、ディジタルベースバンド信号（Ｉ信号、Ｑ信号）の振幅が表す平均電力を測定する回数が減少し、安定した電界においてもＲＳＳＩにふらつきが発生するという問題がある。
このように、フェージングの影響により受信電界（受信信号）が急激に変化する場合、ＡＧＣアンプ１０３が受信電界の急激な変化に追従することができず、ＡＧＣアンプ１０３のゲインを正確に制御することができない。
【０００９】
従来の受信ＡＧＣ回路に類似する技術を紹介する。
【００１０】
特許文献１に記載された受信装置は、ゲインコントロールアンプと、ゲインコントロールアンプのゲインを制御するゲインコントロール器と、レベル検出回路とを具備する。レベル検出回路は、ゲインコントロールアンプの入力信号に基づいて、受信信号の強度の範囲を特定する。ゲインコントロール器は、受信信号の強度の範囲に基づいて、ゲインコントロールアンプのゲインを制御することを特徴としている。
【００１１】
特許文献２に記載された無線通信装置は、受信手段と、測定手段と、選択手段と、設定手段と、自動利得制御手段とを含むことを特徴としている。受信手段は、無線信号を受信する。測定手段は、所定の測定時間内の受信電界強度を測定する。選択手段は、測定手段において測定された受信電界強度に基づいて使用する無線通信システムを選択する。設定手段は、選択手段において選択された無線通信システムに基づいて測定時間を設定する。自動利得制御手段は、設定手段において設定された測定時間内に測定された受信電界強度に基づいて受信手段における増幅率を制御する。
【００１２】
【特許文献１】
特開２００３−４６３５３号公報（請求項１）
【特許文献２】
特開２００１−１６６３８号公報（請求項１０）
【００１３】
【発明が解決しようとする課題】
本発明の目的は、受信信号（受信電界）の急激な変化にＡＧＣアンプが追従することができるＡＧＣ回路を提供することにある。
本発明の他の目的は、ＡＧＣアンプのゲインを正確に制御することができるＡＧＣ回路を提供することにある。
【００１４】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１５】
本発明の受信ＡＧＣ回路（１４）は、受信部（１１）と、ＡＧＣ（Ａｕｔｏ  Ｇａｉｎ  Ｃｏｎｔｒｏｌ）アンプ（３）と、制御回路（１２）とを具備する。
受信部（１１）は、外部からタイムスロット毎に送信された送信信号を受信信号として受信する（Ｓ１）。
ＡＧＣアンプ（３）は、ＡＧＣアンプ（３）のゲインにより受信信号を増幅して増幅受信信号を生成する（Ｓ１）。
制御回路（１２）は、増幅受信信号から得られる信号の振幅が所定範囲内ではないとき（Ｓ２、Ｓ３−ＮＯ）、タイムスロットよりも短い時間でＡＧＣアンプ（３）のゲインを制御する（Ｓ５）。
従来のＡＧＣ回路では、ＡＧＣアンプ（１０３）のゲインを一定周期（タイムスロット）間隔で更新しているため、フェージングの影響により受信電界（受信信号が表す電力に対応する電界）が急激に変化する場合、ＡＧＣアンプ（１０３）は、受信信号の急激な変化に追従することができない。
フェージングの影響により受信電界が急激に変化する場合とは、増幅受信信号から得られる信号の振幅が所定範囲内ではないときである。このように、本発明のＡＧＣ回路（１４）によれば、フェージングの影響により受信電界（受信信号）が急激に変化する場合、タイムスロットよりも短い時間でＡＧＣアンプ（３）のゲインを制御するため、ＡＧＣアンプ（３）は、受信信号の急激な変化に追従することができる。
【００１６】
制御回路（１２）は、直交復調器（４）と、Ａ／Ｄ変換器（５）と、ゲイン制御回路（１３）とを備えている。
直交復調器（４）は、増幅受信信号をアナログベースバンド信号に変換する（Ｓ２）。
Ａ／Ｄ変換器（５）は、増幅受信信号から得られる信号として、アナログベースバンド信号をディジタルベースバンド信号（Ｉ信号、Ｑ信号）に変換する（Ｓ２）。ディジタルベースバンド信号（Ｉ信号、Ｑ信号）はチップ毎に電力を表す振幅を有する。１タイムスロットは１番目からｍ番目（ｍは１以上の整数）までのｍ個のチップを有する。
ゲイン制御回路（１３）は、ディジタルベースバンド信号（Ｉ信号、Ｑ信号）のｍ個の振幅のうちの少なくとも１つの振幅が所定範囲内ではないとき（Ｓ３−ＮＯ）、タイムスロットよりも短い時間としてチップ単位でＡＧＣアンプ（３）のゲインを制御する（Ｓ５）。
このように、本発明のＡＧＣ回路（１４）によれば、フェージングの影響により受信電界（受信信号）が急激に変化する場合、タイムスロットよりも短い時間でＡＧＣアンプ（３）のゲインを制御するには、チップ単位で行うことが好ましい。
【００１７】
ゲイン制御回路（１３）は、ディジタルベースバンド信号（Ｉ信号、Ｑ信号）のｉ番目の振幅（ｉは、１≦ｉ＜ｍを満たす整数）が所定範囲内ではないとき（Ｓ３−ＮＯ）、タイムスロットよりも短い時間として（ｉ＋１）番目のチップでＡＧＣアンプ（３）のゲインを制御する（Ｓ５）。
このように、本発明のＡＧＣ回路（１４）によれば、フェージングの影響により受信電界（受信信号）が急激に変化する場合、ＡＧＣアンプ（３）が受信信号の急激な変化に追従するために、次のチップでＡＧＣアンプ（３）のゲインを制御することが好ましい。
【００１８】
所定範囲は、予め決められた第１規定振幅（ＴＨＬ）より大きく予め決められた第２規定振幅（ＴＨＨ）より小さい範囲である。
上記の所定範囲｛第１規定振幅（ＴＨＬ）より大きく第２規定振幅（ＴＨＨ）より小さい範囲｝は、ディジタルベースバンド信号（Ｉ信号、Ｑ信号）のｍ個の振幅が、目標振幅（ディジタルベースバンド信号のｍ個の振幅が収束するべき振幅値）に比べて小さ過ぎず（量子化誤差、雑音の影響がない）、目標振幅に比べて大き過ぎない｛Ａ／Ｄ変換器（５）の入力ダイナミックレンジ（Ｒ）を超えて飽和しない｝範囲に設定されている。
【００１９】
ゲイン制御回路（１３）は、ＡＧＣ電圧発生器（１０）と、電力測定器（７）と、ＲＳＳＩ生成回路（９）とを備えている。ゲイン制御回路（１３）は、以下のようにしてＡＧＣアンプ（３）のゲインを制御する。
電力測定器（７）は、ディジタルベースバンド信号（Ｉ信号、Ｑ信号）のｍ個の振幅のうちの第１振幅が第１規定振幅（ＴＨＬ）以下であるとき（Ｓ３−ＮＯ）、ディジタルベースバンド信号（Ｉ信号、Ｑ信号）のｍ個の振幅が収束するべき目標振幅と第１規定振幅（ＴＨＬ）との差分に対応する第１更新電力を更新電力として算出する（Ｓ５）。
電力測定器（７）は、ディジタルベースバンド信号（Ｉ信号、Ｑ信号）のｍ個の振幅のうちの第２振幅が第２規定振幅（ＴＨＨ）以上であるとき（Ｓ３−ＮＯ）、目標振幅と第２規定振幅（ＴＨＨ）との差分に対応する第２更新電力を更新電力として算出する（Ｓ５）。
ＲＳＳＩ生成回路（９）は、ＲＳＳＩ（Ｒｅｃｅｉｖｅｄ  Ｓｉｇｎａｌ  Ｓｔｒｅｎｇｔｈ  Ｉｎｄｉｃａｔｏｒ）値に更新電力に対応する電界強度値を加算してＡＧＣ電圧発生器（１０）に出力する（Ｓ５）。
ＡＧＣ電圧発生器（１０）は、ＲＳＳＩ生成回路（９）から出力されたＲＳＳＩ値に対応する制御電圧を発生し、ＡＧＣアンプ（３）に出力する（Ｓ５）。ＡＧＣアンプ（３）は、制御電圧に応じたゲインで受信信号を増幅する。
【００２０】
１タイムスロットは１番目からｎ番目（ｎは１以上ｍ以下の整数）までのｎ個の分割時間を有する。
電力測定器（７）は、ディジタルベースバンド信号（Ｉ信号、Ｑ信号）のｍ個の振幅が所定範囲内であるとき（Ｓ３−ＹＥＳ）、ｍ個の振幅が表す電力の平均値として第１平均電力を算出する（Ｓ４）。
電力測定器（７）は、ディジタルベースバンド信号（Ｉ信号、Ｑ信号）のｍ個の振幅のうちの第３振幅が所定範囲内ではなく、且つ、１番目の分割時間からｊ番目の分割時間（ｊは、１≦ｊ＜ｎを満たす整数）までの間に第３振幅があるとき（Ｓ３−ＮＯ、Ｓ５）、ｍ個の振幅のうちの、（ｊ＋１）番目の分割時間からｎ番目の分割時間までの振幅が表す電力の平均値として第２平均電力を算出する（Ｓ６）。第３振幅は、上記の第１振幅と上記の第２振幅との少なくとも１つを含む。
ゲイン制御回路（１３）は、電力比較器（８）を更に備えている。
電力比較器（８）は、第１平均電力と第２平均電力との一方の平均電力と基準電力とを比較して、一方の平均電力と基準電力との差分を表す差分電力を算出する（Ｓ４、Ｓ６）。
ＲＳＳＩ生成回路（９）は、差分電力に対応する電界強度値をＲＳＳＩ値に加算してＡＧＣ電圧発生器（１０）に出力する（Ｓ４、Ｓ６）。
このように、本発明のＡＧＣ回路（１４）によれば、フェージングの影響により受信電界（受信信号）が急激に変化する場合、電力測定器（７）が、１タイムスロットのうち、１番目の分割時間からｊ番目の分割時間までの時間領域を平均電力の計算から除外し、（ｊ＋１）番目の分割時間からｎ番目の分割時間までの時間領域で平均電力（第２平均電力）を算出し、算出結果として電力比較器（８）に出力するため、ＡＧＣアンプ（３）のゲインを正確に制御することができる。
【００２１】
上記の受信ＡＧＣ回路（１４）は、携帯電話機、ＰＤＡ（Ｐｅｒｓｏｎａｌ  Ｄｉｇｉｔａｌ  Ａｓｓｉｓｔａｎｔ）で例示される携帯端末（１６）に適用される。
この携帯端末（１６）は、上記の受信ＡＧＣ回路（１４）と、信号処理部（６、１５）とを具備する。上記の受信信号にはデータが含まれる。信号処理部（６、１５）は、上記の増幅受信信号から得られる信号（ディジタルベースバンド信号）を入力して、増幅受信信号（ディジタルベースバンド信号）からデータを取得する。
【００２２】
【発明の実施の形態】
添付図面を参照して、本発明による受信ＡＧＣ回路の実施の形態を以下に説明する。本発明の受信ＡＧＣ回路は、無線基地局と無線移動局とを用いたＣＤＭＡ方式（ＣＤＭＡ無線システム）に適用される。本発明の受信ＡＧＣ回路が無線移動局に適用される場合、無線移動局は携帯端末として使われる。携帯端末としては携帯電話機、ＰＤＡ（Ｐｅｒｓｏｎａｌ  Ｄｉｇｉｔａｌ  Ａｓｓｉｓｔａｎｔ）が例示される。本実施例では、ＣＤＭＡ方式をＷ−ＣＤＭＡ（Ｗｉｄｅｂａｎｄ  ＣＤＭＡ）方式として説明する。
【００２３】
図１は、本発明の受信ＡＧＣ回路が適用された携帯端末の構成を示すブロック図である。図１では、本発明に関連しない構成要件については省略する。図１に示されるように、携帯端末１６は、本発明の受信ＡＧＣ回路１４と、携帯端末制御部１５とを具備する。
【００２４】
受信ＡＧＣ回路１４の構成について説明する。受信ＡＧＣ回路１４は、受信部１１と、ＡＧＣ（Ａｕｔｏ  Ｇａｉｎ  Ｃｏｎｔｒｏｌ）アンプ３と、制御回路１２とを備えている。
受信部１１は、アンテナ１と、フロントエンド回路２とを備えている。アンテナ１は、フロントエンド回路２に接続されている。フロントエンド回路２は、ＡＧＣアンプ３の入力に接続されている。
【００２５】
アンテナ１は、外部からタイムスロット（６６７ｕｓｅｃ）毎に送信された送信信号を受信信号として受信する。受信信号は、アナログベースバンド信号であるアナログ同相成分信号とアナログ直交成分信号を同相搬送波と直交搬送波で直交変調された、搬送波周波数を有する信号である。この受信信号にはデータが含まれる。
フロントエンド回路２は、アンテナ１により受信された受信信号から受信高周波信号｛受信ＲＦ（Ｒａｄｉｏ  Ｆｒｅｑｕｅｎｃｙ）信号｝のみを抽出し、その受信信号（受信ＲＦ信号）を所望のレベルに増幅し、妨害波の除去として搬送波周波数帯域以外の不要の周波数成分を除去する。フロントエンド回路２は、不要の周波数成分が除去された受信信号（受信ＲＦ信号）を、図示しない発振器により生成された発振信号を混合し、搬送波周波数帯域が選択された受信中間周波信号｛受信ＩＦ（Ｉｎｔｅｒｍｅｄｉａｔｅ  Ｆｒｅｑｕｅｎｃｙ）信号｝に変換して、その受信信号（受信ＩＦ信号）をＡＧＣアンプ３に出力する。
ＡＧＣアンプ３は、ＡＧＣアンプ３のゲインにより受信信号（受信ＩＦ信号）を後述の復調処理を行うために十分なレベルまで増幅して増幅受信信号を生成する。
【００２６】
フェージングの影響により受信電界（受信信号が表す電力に対応する電界）が急激に変化すると、増幅受信信号から得られる信号の振幅も急激に変動する。このため、制御回路１２（後述する電力測定器７）には、予め決められた第１規定振幅ＴＨＬと、予め決められた第２規定振幅ＴＨＨとが予めに与えられる。所定範囲は、第１規定振幅ＴＨＬより大きく第２規定振幅ＴＨＨより小さい範囲である。制御回路１２は、（Ａ）増幅受信信号から得られる信号の振幅が所定範囲内であるとき、受信信号（受信電界）が急激に変化していないものと認識し、タイムスロットと同じ時間でＡＧＣアンプ３のゲインを制御する。制御回路１２は、（Ｂ）増幅受信信号から得られる信号の振幅が所定範囲内ではないとき、受信信号（受信電界）が急激に変化したものと認識し、タイムスロットよりも短い時間でＡＧＣアンプ３のゲインを制御する。
フェージングの影響により受信電界が急激に変化する場合とは、増幅受信信号から得られる信号の振幅が所定範囲内ではないときである。このように、本発明のＡＧＣ回路１４によれば、フェージングの影響により受信電界（受信信号）が急激に変化する場合、制御回路１２は、タイムスロットよりも短い時間でＡＧＣアンプ３のゲインを制御する。このため、ＡＧＣアンプ３は、受信信号（受信電界）の急激な変化に追従することができる。
【００２７】
受信ＡＧＣ回路１４は、更に、ベースバンド信号処理回路６を備えている。
受信ＡＧＣ回路１４の制御回路１２の構成について説明する。制御回路１２は、直交復調器４と、Ａ／Ｄ変換器５と、ゲイン制御回路１３とを備えている。
直交復調器４の入力は、ＡＧＣアンプ３の出力に接続されている。Ａ／Ｄ変換器５は、第１Ａ／Ｄ変換器５ａと、第２Ａ／Ｄ変換器５ｂとを含む。直交復調器４の出力は、Ａ／Ｄ変換器５（第１Ａ／Ｄ変換器５ａ、第２Ａ／Ｄ変換器５ｂ）の入力に接続されている。Ａ／Ｄ変換器５（第１Ａ／Ｄ変換器５ａ、第２Ａ／Ｄ変換器５ｂ）の出力は、ベースバンド信号処理回路６の第１入力に接続されている。ベースバンド信号処理回路６の出力には、上記の携帯端末制御部１５が接続されている。
【００２８】
直交復調器４は復調処理を行う。直交復調器４は、ＡＧＣアンプ３により生成された増幅受信信号をアナログベースバンド信号｛アナログ同相成分信号（アナログＩ信号）、アナログ直交成分信号（アナログＱ信号）｝に変換する。このアナログベースバンド信号（アナログＩ信号、アナログＱ信号）には上記のデータが含まれる。
Ａ／Ｄ変換器５（第１Ａ／Ｄ変換器５ａ、第２Ａ／Ｄ変換器５ｂ）は、増幅受信信号から得られる信号として、直交復調器４によって変換されたアナログベースバンド信号（アナログＩ信号、アナログＱ信号）をディジタルベースバンド信号｛ディジタル同相成分信号（以下、ディジタルＩ信号、又は、Ｉ信号と称する）、デジタル直交成分信号（以下、ディジタルＱ信号、又は、Ｑ信号と称する）｝に変換する。このディジタルベースバンド信号（Ｉ信号、Ｑ信号）には上記のデータが含まれる。Ａ／Ｄ変換器５（第１Ａ／Ｄ変換器５ａ、第２Ａ／Ｄ変換器５ｂ）は、変換したディジタルベースバンド信号（Ｉ信号、Ｑ信号）をベースバンド信号処理回路６、ゲイン制御回路１３に出力する。
上記の所定範囲（第１規定振幅ＴＨＬより大きく第２規定振幅ＴＨＨより小さい範囲）は、ディジタルベースバンド信号（Ｉ信号、Ｑ信号）のｍ個の振幅が、目標振幅（ディジタルベースバンド信号のｍ個の振幅が収束するべき振幅値）に比べて小さ過ぎず（量子化誤差、雑音の影響がない）、目標振幅に比べて大き過ぎない（Ａ／Ｄ変換器５の入力ダイナミックレンジを超えて飽和しない）範囲に設定されている。
【００２９】
ディジタルベースバンド信号（Ｉ信号、Ｑ信号）はチップ毎に電力を表す振幅を有する。１タイムスロットは１番目からｍ番目（ｍは１以上の整数）までのｍ個のチップを有する。
ベースバンド信号処理回路６は、Ａ／Ｄ変換器５（第１Ａ／Ｄ変換器５ａ、第２Ａ／Ｄ変換器５ｂ）から出力されたディジタルベースバンド信号（Ｉ信号、Ｑ信号）に逆拡散を施し符号化して（拡散符号に変換して）、上記の携帯端末制御部１５に出力する。この拡散符号には上記のデータが含まれ、携帯端末制御部１５は、拡散符号からデータを取得する。ベースバンド信号処理回路６は、ディジタルベースバンド信号（Ｉ信号、Ｑ信号）を符号化したとき、拡散符号ごとに割り当てられたチャネルの電力ＲＳＣＰ（Ｒｅｃｅｉｖｅｄ  Ｓｉｇｎａｌ  Ｃｏｄｅ  Ｐｏｗｅｒ）と受信信号全電力｛ディジタルベースバンド信号（Ｉ信号、Ｑ信号）のｍ個の振幅が表す全電力｝との比を算出する。この比とゲイン制御回路１３（後述するＲＳＳＩ生成回路９）から出力されるＲＳＳＩ（Ｒｅｃｅｉｖｅｄ  Ｓｉｇｎａｌ  Ｓｔｒｅｎｇｔｈ  Ｉｎｄｉｃａｔｏｒ）値を用いて各ＲＳＣＰの絶対電力を算出する。
【００３０】
上記（Ａ）の場合として、ディジタルベースバンド信号（Ｉ信号、Ｑ信号）のｍ個の振幅が所定範囲（第１規定振幅ＴＨＬより大きく第２規定振幅ＴＨＨより小さい範囲）内である。このとき、ゲイン制御回路１３は、受信信号（受信電界）が急激に変化していないものと認識し、タイムスロットと同じ時間（タイムスロット単位）でＡＧＣアンプ３のゲインを制御する。
上記（Ｂ）の場合として、ディジタルベースバンド信号（Ｉ信号、Ｑ信号）のｍ個の振幅のうちの少なくとも１つの振幅が所定範囲（第１規定振幅ＴＨＬより大きく第２規定振幅ＴＨＨより小さい範囲）内ではない。このとき、ゲイン制御回路１３は、受信信号（受信電界）が急激に変化したものと認識し、タイムスロットよりも短い時間としてチップ単位でＡＧＣアンプ３のゲインを制御する。
このように、本発明のＡＧＣ回路１４によれば、フェージングの影響により受信電界（受信信号）が急激に変化する場合、ゲイン制御回路１３は、チップ単位でＡＧＣアンプ３のゲインを制御する。このため、ＡＧＣアンプ３は、受信信号（受信電界）の急激な変化に追従することができる。
【００３１】
受信ＡＧＣ回路１４の制御回路１２のゲイン制御回路１３の構成について説明する。ゲイン制御回路１３は、電力測定器７と、電力比較器８と、ＲＳＳＩ生成回路９と、ＡＧＣ電圧発生器１０とを備えている。
電力測定器７の入力は、Ａ／Ｄ変換器５（第１Ａ／Ｄ変換器５ａ、第２Ａ／Ｄ変換器５ｂ）の出力に接続されている。電力測定器７の第１出力は、電力比較器８の入力に接続されている。電力比較器８の出力は、ＲＳＳＩ生成回路９の第１入力に接続されている。電力測定器７の第２出力は、ＲＳＳＩ生成回路９の第２入力に接続されている。ＲＳＳＩ生成回路９の第１出力は、ＡＧＣ電圧発生器１０の入力に接続されている。ＲＳＳＩ生成回路９の第２出力は、ベースバンド信号処理回路６の第２入力に接続されている。
【００３２】
電力測定器７は、上記（Ａ）の場合｛受信信号（受信電界）が急激に変化していない場合｝、又は、上記（Ｂ）の場合｛受信信号（受信電界）が急激に変化した場合｝を認識するために、ｍ個の振幅のうちの所定範囲に存在しない振幅があるか否かを判定する。ｍ個の振幅のうちの所定範囲に存在しない振幅には、単発的に所定範囲内に存在しない振幅（単発変動振幅と称する）、又は、連続的に所定範囲内に存在しない振幅（連続変動振幅と称する）が含まれる。また、ｍ個の振幅のうちの所定範囲に存在しない振幅には、単発変動振幅と連続変動振幅との両方が含まれる場合がある。
例えば、単発変動振幅の場合、第１規定振幅ＴＨＬ以下である振幅が存在するものとする。この場合、電力測定器７は、上記（Ｂ）の場合として、第１規定振幅ＴＨＬ以下である振幅を上記の少なくとも１つの振幅であると認識する。
例えば、連続変動振幅の場合、ノイズの影響により第２規定振幅ＴＨＨ以上である振幅が連続的に存在するものとする。この場合、連続変動振幅は、１番目からＹ番目（Ｙは、１≦Ｙ＜ｍを満たす整数）までのＹ個の振幅を有する。電力測定器７は、例えば、第２規定振幅ＴＨＨ以上である連続変動振幅（Ｙ個の振幅）のうちの１番目から、予め決められたＺ番目までの振幅を、ノイズであると認識することが好ましい。これは、ノイズの影響により第２規定振幅ＴＨＨ以上である振幅が存在する場合に、ゲイン制御回路１３がＡＧＣアンプ３のゲインを制御したとき、ＡＧＣアンプ３のゲインが的確な値ではなくなる可能性があるからである。ここで、Ｚ＞Ｙであるとき、電力測定器７は、第２規定振幅ＴＨＨ以上である連続変動振幅（Ｙ個の振幅）のうちの１番目からＹ番目までの振幅をノイズであると認識する。Ｚ≦Ｙであるとき、電力測定器７は、第２規定振幅ＴＨＨ以上である連続変動振幅（Ｙ個の振幅）のうちの１番目からＺ番目までの振幅をノイズであると認識し、上記（Ｂ）の場合として、第２規定振幅ＴＨＨ以上である連続変動振幅（Ｙ個の振幅）のうちの（Ｚ＋１）番目からＹ番目までの振幅を上記の少なくとも１つの振幅であると認識する。
【００３３】
電力測定器７は、（Ａ）の場合｛受信信号（受信電界）が急激に変化していない場合｝として、ディジタルベースバンド信号のｍ個の振幅が所定範囲内であると認識する。このとき、電力測定器７は、ｍ個の振幅が表す電力の平均値として第１平均電力を算出し、算出結果として電力比較器８に出力する。
電力比較器８は、第１平均電力と基準電力とを比較して、第１平均電力と基準電力との差分を表す差分電力を算出し、算出結果としてＲＳＳＩ生成回路９に出力する。
ＲＳＳＩ生成回路９は、電力比較器８から出力された差分電力に対応する電界強度値をＲＳＳＩ値に加算し、算出結果としてベースバンド信号処理回路６、ＡＧＣ電圧発生器１０に出力する。ＲＳＳＩ生成回路９には、予めにＲＳＳＩ値の初期値が与えられている。ＡＧＣ回路１４（携帯端末１６）の初期時として１回目のタイムスロットでは、ＲＳＳＩ生成回路９は、予めに与えられたＲＳＳＩ値の初期値に、差分電力に対応する電界強度値を加算する。２回目以降のタイムスロット（次のタイムスロット）では、ＲＳＳＩ生成回路９は、前回のタイムスロットのときに加算されたＲＳＳＩ値に、次のタイムスロットのときに電力比較器８により算出された差分電力に対応する電界強度値を加算する。
ＡＧＣ電圧発生器１０は、ＲＳＳＩ生成回路９から出力されたＲＳＳＩ値に対応する制御電圧を発生し、ＡＧＣアンプ３に出力する。ＡＧＣアンプ３は、制御電圧に応じたゲインで受信信号を増幅する。
【００３４】
電力測定器７は、（Ｂ）の場合｛受信信号（受信電界）が急激に変化した場合｝として、（Ｂ１）ディジタルベースバンド信号のｍ個の振幅のうちの第１振幅が第１規定振幅ＴＨＬ以下であると認識する。（Ｂ１）の場合、電力測定器７は、ディジタルベースバンド信号のｍ個の振幅が収束するべき目標振幅と第１規定振幅ＴＨＬとの差分に対応する第１更新電力を更新電力として算出し、算出結果としてＲＳＳＩ生成回路９に出力する。
電力測定器７は、（Ｂ）の場合｛受信信号（受信電界）が急激に変化した場合｝として、（Ｂ２）ディジタルベースバンド信号のｍ個の振幅のうちの第２振幅が第２規定振幅ＴＨＨ以上であると認識する。（Ｂ２）の場合、電力測定器７は、目標振幅と第２規定振幅ＴＨＨとの差分に対応する第２更新電力を更新電力として算出し、算出結果としてＲＳＳＩ生成回路９に出力する。
ＲＳＳＩ生成回路９は、上記の更新電力に対応する電界強度値をＲＳＳＩ値に加算し、算出結果としてＡＧＣ電圧発生器１０に出力する。ＲＳＳＩ生成回路９は、更新電力に対応する電界強度値をＲＳＳＩ値に加算した場合、その算出結果をベースバンド信号処理回路６に出力しない。
ＡＧＣ電圧発生器１０は、ＲＳＳＩ生成回路９から出力されたＲＳＳＩ値に対応する制御電圧を発生し、ＡＧＣアンプ３に出力する。ＡＧＣアンプ３は、制御電圧に応じたゲインで受信信号を増幅する。
このように、本発明のＡＧＣ回路１４によれば、フェージングの影響により受信電界（受信信号）が急激に変化する場合、電力測定器７、ＲＳＳＩ生成回路９、ＡＧＣ電圧発生器１０により、チップ単位でＡＧＣアンプ３のゲインを制御する。
【００３５】
電力測定器７には、１タイムスロットをｎ分割するための定数ｎが予めに与えられ、１タイムスロットは、１番目からｎ番目（ｎは１以上ｍ以下の整数）までのｎ個の分割時間を有する。
（Ｂ）の場合｛受信信号（受信電界）が急激に変化した場合｝、電力測定器７は、ディジタルベースバンド信号のｍ個の振幅のうちの第３振幅が所定範囲内ではなく、且つ、１番目の分割時間からｊ番目の分割時間（ｊは、１≦ｊ＜ｎを満たす整数）までの間に第３振幅があると認識する。第３振幅は、上記の（Ｂ１）の場合の第１振幅と、上記の（Ｂ２）の場合の第２振幅との少なくとも１つを含む。電力測定器７は、ｍ個の振幅のうちの、（ｊ＋１）番目の分割時間からｎ番目の分割時間までの振幅が表す電力の平均値として第２平均電力を算出し、算出結果として電力比較器８に出力する。
電力比較器８は、第２平均電力と基準電力とを比較して、第２平均電力と基準電力との差分を表す差分電力を算出し、算出結果としてＲＳＳＩ生成回路９に出力する。
ＲＳＳＩ生成回路９は、電力比較器８から出力された差分電力に対応する電界強度値をＲＳＳＩ値に加算し、算出結果としてベースバンド信号処理回路６、ＡＧＣ電圧発生器１０に出力する。
ＡＧＣ電圧発生器１０は、ＲＳＳＩ生成回路９から出力されたＲＳＳＩ値に対応する制御電圧を発生し、ＡＧＣアンプ３に出力する。ＡＧＣアンプ３は、制御電圧に応じたゲインで受信信号を増幅する。
このように、本発明のＡＧＣ回路１４によれば、ゲイン制御回路１３の電力測定器７は、フェージングの影響により受信電界（受信信号）が急激に変化する１番目の分割時間からｊ番目の分割時間までの時間領域を平均電力の計算から除外し、（ｊ＋１）番目の分割時間からｎ番目の分割時間までの時間領域で平均電力（第２平均電力）を算出し、算出結果として電力比較器８に出力する。このため、ゲイン制御回路１３は、ＡＧＣアンプ３のゲインを正確に制御することができる。
【００３６】
次に、図１に示された受信ＡＧＣ回路１４の動作について、図２〜図５を用いて説明する。
図２は、受信電界が安定した状態にある場合のディジタルベースバンド信号（Ｉ信号、Ｑ信号）を表す。
図３（ａ）は、受信電界が安定していない状態にある場合の受信信号を表し、図３（ｂ）は、図３（ａ）のＸ部分を拡大した図である。
図４（ａ）は、従来のＡＧＣ回路において、受信電界が安定していない状態にある場合のディジタルベースバンド信号（Ｉ信号、Ｑ信号）を表し、図４（ｂ）は、本発明のＡＧＣ回路１４において、受信電界が安定していない状態にある場合に、後述のチップ間ゲイン制御処理を行ったときのディジタルベースバンド信号（Ｉ信号、Ｑ信号）を表す。
図５は、本発明のＡＧＣ回路１４の動作を示すフローチャートである。
【００３７】
まず、受信ＡＧＣ回路１４は、受信処理を行う（図５のステップＳ１）。
受信処理では、アンテナ１が、外部からタイムスロット毎に送信された送信信号を受信信号として受信する。フロントエンド回路２が、１タイムスロット間に、受信信号（受信ＲＦ信号）を所望のレベルに増幅して妨害波の除去し、受信信号（受信ＩＦ信号）に変換する。ＡＧＣアンプ３が、１タイムスロット間に、ＡＧＣ電圧発生器１０から出力された制御電圧に応じたゲインで受信信号（受信ＩＦ信号）を増幅して増幅受信信号を生成する。
【００３８】
次に、受信ＡＧＣ回路１４は、信号変換処理を行う（図５のステップＳ２）。
信号変換処理では、直交復調器４が、１タイムスロット間に、ＡＧＣアンプ３により生成された増幅受信信号をアナログベースバンド信号（アナログＩ信号、アナログＱ信号）に変換する。Ａ／Ｄ変換器５（第１Ａ／Ｄ変換器５ａ、第２Ａ／Ｄ変換器５ｂ）が、１タイムスロット間に、直交復調器４によって変換されたアナログベースバンド信号（アナログＩ信号、アナログＱ信号）をディジタルベースバンド信号（Ｉ信号、Ｑ信号）に変換し、ベースバンド信号処理回路６、電力測定器７に出力する。
【００３９】
電力測定器７は、１タイムスロット間に、電力測定器７は、ディジタルベースバンド信号（Ｉ信号、Ｑ信号）のｍ個の振幅が所定範囲内である否かを判定する（図５のステップＳ３）。
【００４０】
ディジタルベースバンド信号（Ｉ信号、Ｑ信号）のｍ個の振幅が所定範囲内であるとき（図５のステップＳ３−ＹＥＳ）、すなわち、（Ａ）の場合、受信信号（受信電界）が安定した状態にある。
受信信号（受信電界）が安定した状態にある場合、図２に示されるように、ディジタルベースバンド信号（Ｉ信号、Ｑ信号）のｍ個の振幅はＡ／Ｄ変換器５（第１Ａ／Ｄ変換器５ａ、第２Ａ／Ｄ変換器５ｂ）の入力ダイナミックレンジＲに対してある比率をもって一定値に収束する。
【００４１】
（Ａ）の場合、受信ＡＧＣ回路１４は、第１ゲイン制御処理を行う（図５のステップＳ４）。
第１ゲイン制御処理では、電力測定器７が、１タイムスロット間に、ｍ個の振幅が表す電力の平均値として第１平均電力を算出し、算出結果として電力比較器８に出力する。電力比較器８が、１タイムスロット間に、第１平均電力と基準電力とを比較して、第１平均電力と基準電力との差分を表す差分電力を算出し、算出結果としてＲＳＳＩ生成回路９に出力する。ＲＳＳＩ生成回路９が、１タイムスロット間に、電力比較器８から出力された差分電力に対応する電界強度値をＲＳＳＩ値に加算し、算出結果としてベースバンド信号処理回路６、ＡＧＣ電圧発生器１０に出力する。ＡＧＣ電圧発生器１０が、１タイムスロット間に、ＲＳＳＩ生成回路９から出力されたＲＳＳＩ値に対応する制御電圧を発生し、ＡＧＣアンプ３に出力する。
【００４２】
ディジタルベースバンド信号（Ｉ信号、Ｑ信号）のｍ個の振幅のうちの少なくとも１つの振幅が所定範囲内ではないとき（図５のステップＳ３−ＮＯ）、すなわち、（Ｂ）の場合、受信信号（受信電界）が安定していない状態にある。
（Ａ）の場合のように受信信号（受信電界）が安定した状態にある場合、ディジタルベースバンド信号（Ｉ信号、Ｑ信号）のｍ個の振幅はＡ／Ｄ変換器５（第１Ａ／Ｄ変換器５ａ、第２Ａ／Ｄ変換器５ｂ）の入力ダイナミックレンジＲに対してある比率をもって一定値に収束するが、（Ｂ）の場合として、受信信号（受信電界）が図３（ａ）に示されるようなフェージング波により急激に変化する場合がある。この場合、ＡＧＣアンプは受信信号（受信電界）の急激な変化に追従することができず、ディジタルベースバンド信号（Ｉ信号、Ｑ信号）の振幅に変動が発生する。Ｗ−ＣＤＭＡ方式の場合、１タイムスロット（１ＳＬＯＴ）が６６７ｕｓｅｃであり、時速１２０ｋｍのフェージング波では、図３（ｂ）に示されるように、ＡＧＣアンプ３のゲインが一定である１ＳＬＯＴ間に、受信信号（受信電界）が急激に減少することもある。従来の受信ＡＧＣ回路では、ディジタルベースバンド信号（Ｉ信号、Ｑ信号）のｍ個の振幅は、図４（ａ）に示されるように、１番目の振幅からｍ番目の振幅までの順に、受信電界の減少に合わせて小さくなる。
【００４３】
（Ｂ）の場合、まず、受信ＡＧＣ回路１４は、チップ間ゲイン制御処理を行う（図５のステップＳ５）。
図４（ｂ）のａ点に示されるように、（Ｂ１）ディジタルベースバンド信号のｍ個の振幅のうちの第１振幅としてｉ番目（ｉは、１≦ｉ＜ｍを満たす整数）の振幅が第１規定振幅ＴＨＬ以下である。この場合、電力測定器７が、１チップ間に、ディジタルベースバンド信号のｍ個の振幅が収束するべき目標振幅と第１規定振幅ＴＨＬとの差分に対応する第１更新電力を更新電力として算出し、算出結果としてＲＳＳＩ生成回路９に出力する。ＲＳＳＩ生成回路９が、１チップ間に、上記の更新電力に対応する電界強度値をＲＳＳＩ値に加算し、算出結果としてＡＧＣ電圧発生器１０に出力する。ＡＧＣ電圧発生器１０が、１チップ間に、ＲＳＳＩ生成回路９から出力されたＲＳＳＩ値に対応する制御電圧を発生し、ＡＧＣアンプ３に出力する。このとき、ＡＧＣアンプ３は、ＡＧＣ電圧発生器１０から出力された制御電圧に応じたゲインで受信信号（受信ＩＦ信号）を増幅して増幅受信信号を生成する。
チップ間ゲイン制御処理（図５のステップＳ５）により、図４（ｂ）のａ点の直後である（ｉ＋１）番目のチップでは、ＡＧＣアンプ３のゲインが更新されるため、ＡＧＣアンプ３は受信信号（受信電界）の急激な変化に追従することができる。このため、上記の（ｉ＋１）番目のチップでは、ディジタルベースバンド信号（Ｉ信号、Ｑ信号）の振幅が、図４（ｂ）のａ点に示されるディジタルベースバンド信号（Ｉ信号、Ｑ信号）のｉ番目の振幅から、目標振幅にまで回復する。
【００４４】
図４（ｂ）に示されるｂ点においてもチップ間ゲイン制御処理（図５のステップＳ５）が行われる。
図４（ｂ）のｂ点に示されるように、（Ｂ１）ディジタルベースバンド信号のｍ個の振幅のうちの第１振幅としてｉ番目の振幅が第１規定振幅ＴＨＬ以下である。この場合でも、受信ＡＧＣ回路１４では、１チップ間に、チップ間ゲイン制御処理を行い、図４（ｂ）のｂ点の直後である（ｉ＋１）番目のチップでは、ＡＧＣアンプ３のゲインが更新されるため、ＡＧＣアンプ３は受信信号（受信電界）の急激な変化に追従することができる。このため、上記の（ｉ＋１）番目のチップでは、ディジタルベースバンド信号（Ｉ信号、Ｑ信号）の振幅が、図４（ｂ）のｂ点に示されるディジタルベースバンド信号（Ｉ信号、Ｑ信号）のｉ番目の振幅から、目標振幅にまで回復する。
【００４５】
また、受信電界（ディジタルベースバンド信号の振幅）が大き過ぎる場合もあり、例えば、図４（ｂ）のｃ点に示されるように、（Ｂ２）ディジタルベースバンド信号のｍ個の振幅のうちの第２振幅としてｉ番目の振幅（ｉ＝１）が第２規定振幅ＴＨＨ以上である、とする。ここで、説明を簡略するために、上記のＹ（上記の連続変動振幅が有するＹ個の振幅）と、上記のＺ（上記の連続変動振幅のうちの予め決められたＺ番目）とを１とする。この場合でもチップ間ゲイン制御処理（図５のステップＳ５）が行われる。受信ＡＧＣ回路１４では、１チップ間に、チップ間ゲイン制御処理を行い、図４（ｂ）のｃ点の直後である（ｉ＋１）番目のチップでは、ＡＧＣアンプ３のゲインが更新されるため、ＡＧＣアンプ３は受信信号（受信電界）の急激な変化に追従することができる。このため、上記の（ｉ＋１）番目のチップでは、ディジタルベースバンド信号（Ｉ信号、Ｑ信号）の振幅が、図４（ｂ）のｃ点に示されるディジタルベースバンド信号（Ｉ信号、Ｑ信号）のｉ番目の振幅から、目標振幅にまで回復する。
【００４６】
（Ｂ）の場合、次に、受信ＡＧＣ回路１４は、第２ゲイン制御処理を行う（図５のステップＳ６）。
上述のように、１タイムスロットは１番目からｎ番目までのｎ個の分割時間を有する。本実施例では、上記のｎを４としている（ｎ＝４）。このため、図４（ｂ）に示される例では、１番目の分割時間（０〜１／４ＳＬＯＴ）に第３振幅として第２振幅（上記のｃ点における振幅）がある。２番目の分割時間（１／４ＳＬＯＴ〜２／４ＳＬＯＴ）に第３振幅として第１振幅（上記のａ点における振幅）がある。３番目の分割時間（２／４ＳＬＯＴ〜３／４ＳＬＯＴ）に第３振幅として第１振幅（上記のｂ点における振幅）がある。
第２ゲイン制御処理では、電力測定器７が、１タイムスロット間に、ディジタルベースバンド信号のｍ個の振幅のうちの第３振幅（上記のａ点、ｂ点、ｃ点における振幅）が所定範囲内ではなく、且つ、０から３／４ＳＬＯＴまでの間に第３振幅があると認識する。電力測定器７は、１ＳＬＯＴのうち、０から３／４ＳＬＯＴまでの時間領域を平均電力の計算から除外し、４番目の分割時間（３／４ＳＬＯＴ〜４／４ＳＬＯＴ）で第２平均電力を算出する。電力測定器７は、ディジタルベースバンド信号のｍ個の振幅のうちの４番目の分割時間にある振幅が表す電力の平均値として第２平均電力を算出し、算出結果として電力比較器８に出力する。電力比較器８が、１タイムスロット間に、第２平均電力と基準電力とを比較して、第２平均電力と基準電力との差分を表す差分電力を算出し、算出結果としてＲＳＳＩ生成回路９に出力する。ＲＳＳＩ生成回路９が、１タイムスロット間に、電力比較器８から出力された差分電力に対応する電界強度値をＲＳＳＩ値に加算し、算出結果としてベースバンド信号処理回路６、ＡＧＣ電圧発生器１０に出力する。ＡＧＣ電圧発生器１０が、１タイムスロット間に、ＲＳＳＩ生成回路９から出力されたＲＳＳＩ値に対応する制御電圧を発生し、ＡＧＣアンプ３に出力する。ＡＧＣアンプ３は、制御電圧に応じたゲインで受信信号を増幅する。
【００４７】
【発明の効果】
本発明のＡＧＣ回路１４によれば、フェージングの影響により受信電界（受信信号）が急激に変化する場合、ゲイン制御回路１３は、タイムスロットよりも短い時間（チップ単位）でＡＧＣアンプ３のゲインを制御する。このため、ＡＧＣアンプ３は、受信信号（受信電界）の急激な変化に追従することができる。
【００４８】
本発明のＡＧＣ回路１４によれば、ゲイン制御回路１３の電力測定器７は、フェージングの影響により受信電界（受信信号）が急激に変化する１番目の分割時間からｊ番目の分割時間までの時間領域を平均電力の計算から除外し、（ｊ＋１）番目の分割時間からｎ番目の分割時間までの時間領域で平均電力（第２平均電力）を算出して、算出結果として電力比較器８に出力する。このため、ゲイン制御回路１３は、ＡＧＣアンプ３のゲインを正確に制御することができる。
【図面の簡単な説明】
【図１】図１は、本発明の受信ＡＧＣ回路が適用された無線移動局の構成を示すブロック図である。
【図２】図２は、受信電界が安定した状態にある場合のディジタルベースバンド信号（Ｉ信号、Ｑ信号）を表す。
【図３】図３（ａ）は、受信電界が安定していない状態にある場合の受信信号を表し、図３（ｂ）は、図３（ａ）のＸ部分を拡大した図である。
【図４】図４（ａ）は、従来のＡＧＣ回路において、受信電界が安定していない状態にある場合のディジタルベースバンド信号（Ｉ信号、Ｑ信号）を表し、図４（ｂ）は、本発明のＡＧＣ回路において、受信電界が安定していない状態にある場合に、チップ間ゲイン制御処理を行ったときのディジタルベースバンド信号（Ｉ信号、Ｑ信号）を表す。
【図５】図５は、本発明のＡＧＣ回路の動作を示すフローチャートである。
【図６】図６は、従来の受信ＡＧＣ回路の構成を示すブロック図である。
【符号の説明】
１    アンテナ
２    フロントエンド回路
３    ＡＧＣアンプ
４    直交復調器
５    Ａ／Ｄ変換器
６    ベースバンド信号処理回路
７    電力測定器
８    電力比較器
９    ＲＳＳＩ生成回路
１０    ＡＧＣ電圧発生器
１１    受信部
１２    制御回路
１３    ゲイン制御回路
１４    受信ＡＧＣ回路
１５    携帯端末制御部
１６    携帯端末
１０１    アンテナ
１０２    フロントエンド回路
１０３    ＡＧＣアンプ
１０４    直交復調器
１０５    Ａ／Ｄ変換器
１０６    ベースバンド信号処理回路
１０７    電力測定器
１０８    電力比較器
１０９    ＲＳＳＩ生成回路
１１０    ＡＧＣ電圧発生器
【図１】
2005006173.tif 000003
【図２】
2005006173.tif 000004
【図３】
2005006173.tif 000005
【図４】
2005006173.tif 000006
【図５】
2005006173.tif 000007
【図６】
2005006173.tif 000008